(57)【特許請求の範囲】
【請求項１】
クーポン情報を記憶する記憶手段を備えたセンタ装置と、クーポン情報を記憶する記憶手段を備えた携帯端末と、収納する商品に関するクーポン情報を記憶する記憶手段を備えた自動販売機とを備え、待機状態にて、自動販売機に携帯端末がかざされると、クーポン情報に一致するクーポン対象商品の商品選択ボタンの表示部を表示することを特徴とする自動販売システム。
【請求項２】
請求項１に記載の自動販売システムにおいて、表示部の表示は点灯または点滅であることを特徴とする自動販売システム。
【請求項３】
請求項１または２に記載の自動販売システムにおいて、携帯端末に記憶するクーポン情報は、センタ装置から取得することを特徴とする自動販売システム。
【請求項４】
請求項１ないし３いずれかに記載の自動販売システムにおいて、自動販売機に記憶するクーポン情報は、設定装置あるいはセンタ装置から取得することを特徴とする自動販売システム。
【請求項５】
請求項１ないし４いずれかに記載の自動販売システムにおいて、クーポン情報は無料、割引、価格帯、商品グループ、成人情報の少なくとも一つの情報を含むことを特徴とする自動販売システム。
【請求項６】
請求項５に記載の自動販売システムにおいて、有効期間の情報も記憶することを特徴とする自動販売システム。
【請求項７】
請求項１ないし６いずれかに記載の自動販売システムにおいて、有効期間情報を、少なくとも１回を含む使用回数の情報とすることを特徴とする自動販売システム。
【請求項８】
請求項１に記載の自動販売システムにおいて、クーポン情報を記憶する記憶手段を備えたセンタ装置と、クーポン情報を記憶する記憶手段を備えた携帯端末と、収納する商品に関するクーポン情報を記憶する記憶手段を備えた自動販売機とを備え、待機状態にて、自動販売機に携帯端末がかざされると、クーポン情報に一致する商品を搬出することを特徴とする自動販売システム。
【発明の詳細な説明】
【技術分野】
【０００１】
本発明は、自動販売機において、クーポンを利用して自動販売機の商品を購入できるようにした自動販売システムに関する。
【背景技術】
【０００２】
従来、クーポン情報を携帯電話に取り込み、このクーポン情報を基に自動販売機にてクーポンによる特典を受けられるようにした自動販売機が知られている。
【０００３】
このような自動販売機において、クーポンを利用して自動販売機で商品を購入しようとする利用者は、例えば、携帯電話を利用して、先ずクーポン発行会社の管理サーバーから自分の希望するクーポンを選択し、クーポン情報を自己の携帯電話に取り込み記憶させる。次に利用者は、自動販売機に携帯電話を向け、先にクーポン情報を自動販売機に送信する。送り込まれたクーポン情報は自動販売機で判別され、その結果が表示装置に表示され、その結果を見た後、利用者は、硬貨を投入し、クーポン情報に対応した商品を探して、商品選択ボタンを押すと、所定の商品が商品取出口に搬出される（例えば、特許文献１）。
【特許文献１】特開２００２−１４０７５７号公報
【発明の開示】
【発明が解決しようとする課題】
【０００４】
ところで、上記自動販売機では、表示装置に、クーポン情報の一致あるいは不一致が表示されるだけであり、最終的な商品との対応は、硬貨を投入して、商品見本からクーポン情報に対応する商品を探さなければならず、操作が面倒であるという課題があった。
【０００５】
本発明は、上記課題に鑑み、自動販売機にてクーポン情報を利用する際に、対象商品が判りやすい自動販売システムを目的とする。
【課題を解決するための手段】
【０００６】
上記目的を達成するために、本発明は、クーポン情報を記憶する記憶手段を備えたセンタ装置と、クーポン情報を記憶する記憶手段を備えた携帯端末と、収納する商品に関するクーポン情報を記憶する記憶手段を備えた自動販売機とを備え、待機状態にて、自動販売機に携帯端末がかざされると、クーポン情報に一致するクーポン対象商品の商品選択ボタンの表示部を表示することを特徴とするものである。
【０００７】
上記に加え、表示部の表示は、点灯または点滅させることも可能である。
【０００８】
また、自動販売システムにおいて、携帯端末に記憶するクーポン情報は、センタ装置から取得し、自動販売機に記憶するクーポン情報は、設定装置あるいはセンタ装置から取得することを特徴とするものである。
【０００９】
さらに、クーポン情報は無料、割引、価格帯、商品グループ、成人情報の少なくとも一つの情報を含むことを特徴とし、使用回数の情報でもある有効期間の情報も記憶することを特徴とする。
【００１０】
またさらに、本発明は、クーポン情報を記憶する記憶手段を備えたセンタ装置と、クーポン情報を記憶する記憶手段を備えた携帯端末と、収納する商品に関するクーポン情報を記憶する記憶手段を備えた自動販売機とを備え、待機状態にて、自動販売機に携帯端末がかざされると、クーポン情報に一致する商品を搬出することを特徴とする。
【発明の効果】
【００１１】
本発明は、クーポン情報を記憶する記憶手段を備えたセンタ装置と、クーポン情報を記憶する記憶手段を備えた携帯端末と、収納する商品に関するクーポン情報を記憶する記憶手段を備えた自動販売機とを備え、待機状態にて、自動販売機に携帯端末がかざされると、クーポン情報に一致するクーポン対象商品の商品選択ボタンの表示部を表示することで、クーポン対象商品が多数の販売商品の中で、どこにあるのかがすぐわかるようになり、利用者の操作性が向上するという効果が得られる。
【００１２】
また、クーポン情報として、割引、無料など要望に応じた対応が可能となり、より自動販売機の利用率を高めることが可能となる。
【発明を実施するための最良の形態】
【００１３】
以下に、本発明の実施の形態を示す図１ないし図４を用いて、以下に説明する。
【００１４】
図１は、本発明の実施の対象となる自動販売システムの概略構成図の一例を示すものであり、１は記憶領域を備えた携帯電話、２はクーポン情報として、割引対象商品コード、有効期間などの情報を記憶する管理サーバー、３は公衆回線あるいはインターネットなどのネットワーク、２０は後述する自動販売機であり、携帯電話１と管理サーバー２とは通信可能となっている。
【００１５】
図２は、自動販売機２０の概略構成図であり、自動販売機２０は、その本体キャビネット前面に外扉を備えており、本体キャビネット内には複数（ｎ個）のコラムを備えている。このコラムは、複数種類の商品を個別に収納する一方、商品選択ボタンが押され、販売指令が与えられた場合に押された商品選択ボタン対応する商品の搬出を行なう。
【００１６】
外扉は、本体キャビネットの前面開口を開閉する態様で、該本体キャビネットの一側縁部に支承させたものである。この前面には、商品見本展示室２１、販売可能ランプおよび売切ランプを内蔵する商品選択ボタン２２、携帯電話１との間で近距離無線通信を行なうためのアンテナ部２３、硬貨投入口２４、返却レバー２５、金額表示器２６、硬貨返却口２７、商品取出口２８が設けられている。
【００１７】
商品見本展示室２１は、外扉の上部に構成した透明の窓であり、内部に配列した商品見本２９を外部に視認させることが可能である。商品見本展示室を通じて視認される商品見本２９は、それぞれコラムに収納した商品を現し、商品選択ボタン２２と対応して設けられている。
【００１８】
次に、図３は、自動販売機１の制御動作を説明するためのブロック図である。
【００１９】
１１は装置全体を制御するマスタ制御部であり、制御プログラムを格納するメモリ１１ａ、設定データ，割引対象商品コード、有効期間などのクーポン情報など種々のデータを記憶するメモリ１１ｂ、時計１１ｃを備えている。このマスタ制御部１１には、各種設定を行なうリモコンなどからなる設定装置１２、商品搬出を行なう商品搬出装置１３、貨幣処理装置１４、アンテナ部２３を介して携帯電話１の記憶領域のポイントデータを書き換え可能なリーダライタ２３ａが接続され、図２に示した金額表示器２６、販売可能ランプ２２ａおよび売切ランプ２２ｂを内蔵する商品選択ボタン２２も接続されている。
【００２０】
なお、自動販売機２０と携帯電話１との通信形態としては、携帯電話１の記憶領域にＩＣチップを用いた非接触通信、あるいは近距離無線通信として、Ｂｌｕｅｔｏｏｔｈ、ＩｒＤＡ等を使用するものである。
【００２１】
この構成において、図４のフローチャートを参照しながら、以下に本実施形態の自動販売システムに関する動作を説明する。
【００２２】
まず、クーポン情報を取得するために利用者は、携帯電話１からネットワーク３を介して管理サーバー２にアクセスし、管理サーバー２から希望するクーポン情報を選択して、クーポン情報を自己の携帯電話１の記憶領域にダウンロードして記憶させる。この携帯電話１に記憶させるクーポン情報は、一度に複数のクーポン情報を取得するようにしてもよい。
【００２３】
一方、自動販売機２０側のメモリ１１ｂに記憶するクーポン情報としては、設定装置１２にて設定しておくか、ネットワーク４に接続可能にしておき、管理サーバー２からクーポン情報を書き換えるようにしても良い。
【００２４】
この状態において、利用者は、自動販売機２０にてクーポンを利用して商品を購入する際、携帯電話１をアンテナ部２３にかざすと（ステップＳ４１）、リーダライタ部２３aにより携帯電話１の記憶領域に記憶されているクーポン情報の商品コードおよび有効期間が読み出され（ステップＳ４２）、自動販売機２０にて記憶しているクーポン情報とを対比して、情報が一致したときには（ステップＳ４３，Ｙ）、対応する商品の商品選択ボタン２２の販売可能ランプ２２ａを点滅させ（ステップＳ４４）、利用者に対して、クーポン対象商品を目立たせるようにする。
【００２５】
この状態で、硬貨投入口２４に割引された商品の販売価格に応じた硬貨を投入すると（ステップＳ４５，Ｙ）、販売可能表示ランプ２２ａが点灯し（ステップＳ４６）、クーポン対象商品の商品選択ボタン２２を押すと（ステップＳ４７）、この利用者が押した商品選択ボタンに対応した商品が商品搬出装置１３により商品取出口２８に搬出されて（ステップＳ４８）、一連の処理を終了する。
【００２６】
また、ステップＳ２において、クーポン情報が一致しなければ（ステップＳ４３，Ｎ）、正規の販売価格にて商品を購入するか、あるいは、利用者は、別の自動販売機を探すことになり、さらに、ステップＳ４３において、情報一致後、所定時間内に硬貨が投入されないと、クーポン情報の一致を解除することで、携帯電話をかざした利用者がそのまま硬貨を投入せずに自動販売機から去った場合に、携帯電話をかざした利用者以外の使用を制限できる。
【００２７】
このように、携帯電話のクーポン情報を自動販売機側で読み取り、対応する商品を商品選択ボタンの表示部を利用して、表示させることで、利用者にクーポン対象商品が容易に判るようになる。
【００２８】
上記構成に加え、割引価格を表示させる構成として、商品選択ボタン２２の販売可能ランプ２２ａを点滅時に、商品選択ボタン２２を押すことで、割引金額を金額表示器２６に表示させるようにしてもよく、この表示で、クーポン情報による割引対象商品とその割引金額との関係がより一層明確になる。
【００２９】
なお、上記実施の形態においては、自動販売機２０側にもクーポン情報を記憶させるようにしたが、自動販売機２０側のメモリ１１ｂには、クーポン情報ではなく、商品コードのみを記憶しておき、携帯電話１からの送信されてくるクーポン情報に含まれる商品コードと比較して、対象商品の有無を自動販売機２０側で判断するようにしてもよい。
【００３０】
また、上記実施の形態においては、クーポン情報として、有効期間としたため、有効期間内であれば、何度でも使用可能であるが、回数制限あるいは１回のみなどの情報に置き換えてよく、その場合は、商品が選択された時点で、再度、携帯電話１をかざすことで、携帯電話の記憶領域の回数減算あるいはクーポン情報を削除する。
【００３１】
さらに、上記実施の形態においては、携帯電話１にて説明したが、電子マネー機能を有するカードでも採用でき、その場合には、自動販売機にネットワーク機能を持たせ、自動販売機を経由してクーポン情報を取得するようにしてもよく、携帯電話１には、電子マネーによる決済機能を有していてもよく、電子マネーによる決済機能付きの場合には、硬貨投入無しに商品選択あるいは該当する商品を商品選択せずに搬出するようにしてもよい。
【００３２】
この
また、販売可能ランプを点滅させたが、売切ランプでもよいことは明らかであり、また、販売可能ランプと売切ランプとを組み合わせて、適宜、点灯、点滅をさせてもよい。
【００３３】
次に、商品の無料提供の場合について、図５のフローチャートを用いて説明すると、無料提供商品コードのクーポン情報を入手した利用者にて携帯電話１を自動販売機２０のアンテナ部２３にかざすと（ステップＳ５１）、リーダライタ部２３aにより携帯電話１の記憶領域に記憶されている無料商品コードのクーポン情報が読み出され（ステップＳ５２）、自動販売機２０にて記憶している商品コードを対比して、情報が一致したときには（ステップＳ５３，Ｙ）、対応する商品の商品選択ボタン２２の販売可能ランプ２２ａを点滅させ（ステップＳ５４）、商品が商品搬出装置１３により商品取出口２８に搬出され（ステップＳ５５）、携帯電話１の記憶領域に記憶されているクーポン情報を削除して（ステップＳ５６）、一連の処理を終了する。
【００３４】
なお、無料の場合に、商品コードとしたが、価格帯、コーヒーあるいは炭酸飲料などの商品グループ、成人指定の商品グループとしてもよい。
【００３５】
このように、上記実施形態は、クーポン情報として割引あるいは無料の場合を説明したが、この他に、価格帯、コーヒーあるいは炭酸飲料などの商品グループ、成人指定の商品グループのみをクーポン情報として、それぞれ単独で用いてもよい。
【図面の簡単な説明】
【００３６】
【図１】本発明の一実施の形態である自動販売システムのシステム構成図
【図２】本発明の対象となる自動販売機の概略正面図
【図３】本発明の一実施の形態である自動販売機の制御装置を示す構成ブロック図
【図４】本発明の一実施の形態における処理動作を示すフローチャート
【図５】本発明の一実施の形態における処理動作を示すフローチャート
【符号の説明】
【００３７】
１              携帯電話
２              管理サーバー
３              ネットワーク
２０            自動販売機
１１            マスタ制御部
１１ａ、１１ｂ  メモリ
２３            アンテナ部
２３ａ          リーダライタ
【図１】
0004696966.tif 000002
【図２】
0004696966.tif 000003
【図３】
0004696966.tif 000004
【図４】
0004696966.tif 000005
【図５】
0004696966.tif 000006